(57)【要約】【課題】車種情報に応じた施設情報を配信すること。【解決手段】施設情報を配信するサーバシステム１は、移動体６の現在位置と移動体種別情報とに基づいて、移動体６に推薦する施設を選択する施設選択部１０４と、施設選択部１０４によって選択した施設の施設情報を出力する施設情報提供部１０５と、を備え、施設選択部１０４は、さらに、移動体６の現在位置と、施設位置情報と、に基づいて、所定数の施設を選択する第１選択部１０４１と、移動体６の移動体種別情報と、施設提供サービスのユーザ層毎の適合度とに基づいて、第１選択部１０４１によって選択された所定数の施設の表示順序を選択する第２選択部１０４２と、を備える。【選択図】図１
2018146451.tif 000002
【特許請求の範囲】
【請求項１】
複数の施設毎に、施設名称と、施設種別と、施設提供サービスと、前記施設提供サービスのユーザ層毎の適合度と、施設位置情報とを含む施設情報を記憶する施設情報保存部と、
移動体の現在位置と、前記移動体の移動体種別情報とを受信する受信部と、
前記受信部により受信した前記移動体の現在位置と、前記移動体の移動体種別情報と、前記施設情報保存部に記憶された施設情報と、に基づいて、前記移動体に推薦する施設を選択する施設選択部と、
前記施設選択部によって選択した施設の施設情報を出力する施設出力部と、
を備え、
前記施設選択部は、さらに、
前記移動体の現在位置と、前記施設情報に含まれる前記施設位置情報と、に基づいて、所定数の施設を選択する第１選択部と、
前記移動体の移動体種別情報と、前記施設情報に含まれる前記施設提供サービスのユーザ層毎の適合度と、に基づいて、前記第１選択部によって選択された所定数の施設の表示順序を選択する第２選択部と、
を備えることを特徴とする施設情報配信サーバ。
【請求項２】
前記移動体は通信機が搭載された車両又は車両と信号接続された通信機であることを特徴とする請求項１記載の施設情報配信サーバ。
【請求項３】
前記移動体種別情報は、車種、カテゴリー種別、車種の下位分類であるグレード、外装色、のいずれかの情報を含むことを特徴とする請求項１又は２記載の施設情報配信サーバ。
【請求項４】
複数の施設毎に、施設名称と、施設種別と、施設提供サービスと、前記施設提供サービスのユーザ層毎の適合度と、施設位置情報とを含む施設情報を記憶する施設情報保存部を備えるサーバが移動体に対して施設情報を配信する施設情報配信方法であって、
前記サーバが、
前記移動体の現在位置と、前記移動体の移動体種別情報とを受信する受信ステップと、
前記受信ステップにおいて受信した前記移動体の現在位置と、前記移動体の移動体種別情報と、前記施設情報保存部に記憶された施設情報と、に基づいて、前記移動体に推薦する施設を選択する施設選択ステップと、
前記施設選択ステップにおいて選択した施設の施設情報を出力する施設出力ステップと、
を備え、
前記施設選択ステップは、さらに、
前記移動体の現在位置と、前記施設情報に含まれる前記施設位置情報と、に基づいて、所定数の施設を選択する第１選択ステップと、
前記移動体の移動体種別情報と、前記施設情報に含まれる前記施設提供サービスのユーザ層毎の適合度と、に基づいて、前記第１選択ステップにおいて選択された所定数の施設の表示順序を選択する第２選択ステップと、
を備えることを特徴とする施設情報配信方法。
【発明の詳細な説明】
【技術分野】
【０００１】
本発明は、自動車等の車両のユーザに対して、当該車両のカテゴリー種別、車種、車種の下位分類であるグレード、外装色等に基づいて、当該車両のユーザの属性を推定し、推定されたユーザの属性に応じた施設情報を配信するための施設情報配信サーバ及び施設情報配信方法に関する。
【背景技術】
【０００２】
従来、自動車等の車両に施設情報を提供する場合、車両の現在位置からの距離で一律に施設情報（例えば、クーポン情報）を配信していた。このため、ユーザは、配信された多数の施設情報のなかから、自身の属性に合った施設を探す必要があった。
例えば、目的地まで移動する場合に、途中で食事、トイレ、給油等で施設へ立ち寄るニーズがある。その解決方法として、車両に搭載された車載ナビゲーション装置が、ナビゲーションサーバに車両の現在位置を送信し、それに対して、ナビゲーションサーバが車両の現在位置や将来の到達地点の所定範囲内にある施設を検索したうえで、検索した施設をユーザに提示するナビゲーションシステムが考案されていた（例えば、特許文献１）。
【先行技術文献】
【特許文献】
【０００３】
【特許文献１】特開２０１５−１８４０７２号公報
【発明の概要】
【発明が解決しようとする課題】
【０００４】
特許文献１に開示されたシステムでは、車両の現在位置からの距離で一律に施設情報（例えば、クーポン情報）を配信しているため、例えば、ファミリー層にカウンタ形式の飲食店情報を提供したり、逆に、独身者にファミリー向けのレストラン情報を提供したり、ニーズと異なる施設情報を配信するおそれがあった。このため、ユーザは、自身に向いていない施設情報を含む施設情報の中から、自身の属性に合った施設を探す必要があり、本来ユーザに対して当該ユーザの属性に合致した施設情報を優先的に表示されるべき施設の情報が効率よく提供されない恐れがあった。
【０００５】
本発明は、このような問題に鑑みてなされたものである。本発明は、サーバが、車両に乗車しているユーザに向けて、当該ユーザの属性に合致した施設情報等を優先的に表示できるように配信することを可能とする、施設情報配信サーバを提供することを目的とする。
【課題を解決するための手段】
【０００６】
（１）複数の施設毎に、施設名称と、施設種別と、施設提供サービスと、前記施設提供サービスのユーザ層毎の適合度と、施設位置情報とを含む施設情報を記憶する施設情報保存部（例えば、後述の「施設情報エリア１１３」等）と、移動体（例えば、後述の「移動体６」）の現在位置と、前記移動体の移動体種別情報（例えば、後述の「車両のカテゴリー種別、車種（車種名）、車種の下位分類であるグレード、外装色等のいずれかの情報」）とを受信する受信部（例えば、後述の「ログイン処理部１０１」、「現在位置情報処理部１０２」）と、前記受信部により受信した前記移動体の現在位置と、前記移動体の移動体種別情報と、前記施設情報保存部に記憶された施設情報と、に基づいて、前記移動体に推薦する施設を選択する施設選択部（例えば、後述の「施設選択部１０４」）と、前記施設選択部によって選択した施設の施設情報を出力する施設出力部（例えば、後述の「施設情報提供部１０５」）と、を備え、前記施設選択部は、さらに、前記移動体の現在位置と、前記施設情報に含まれる前記施設位置情報と、に基づいて、所定数の施設を選択する第１選択部（例えば、後述の「第１選択部１０４１」）と、前記移動体の移動体種別情報と、前記施設情報に含まれる前記施設提供サービスのユーザ層毎の適合度と、に基づいて、前記第１選択部によって選択された所定数の施設の表示順序を選択する第２選択部（例えば、後述の「第２選択部１０４２」）と、を備えることを特徴とする施設情報配信サーバ（例えば、後述の「サーバシステム１」）。
【０００７】
（１）の施設情報配信サーバによると、移動体の移動体種別情報と、施設により提供される施設提供サービスのユーザ層毎の適合度と、に基づいて、当該移動体に適した施設を優先的に表示する。
これにより、施設情報配信サーバは、車両に乗車しているユーザに向けて、当該ユーザの属性(ニーズ)に合致した施設情報を優先的に表示できるように配信することが可能となるため、ユーザによる特別な操作が無くとも、自動的に移動体種別情報に応じた施設情報が優先的に配信され、ユーザの満足度が向上する。
【０００８】
（２）  前記移動体は通信機（例えば、後述の「車載ナビゲーション装置２」）が搭載された車両又は車両と信号接続された通信機（例えば、後述の「携帯端末３」）であることを特徴とする（１）に記載の施設情報配信サーバ。
【０００９】
これにより、車両は、車両に搭載された通信機又は信号接続された通信機を介して、施設情報配信サーバと通信することができ、特別な装置を必要とせず、ユーザによる特別な操作無しで、移動体種別情報に応じた施設情報が優先的に配信され、ユーザの満足度が向上する。
【００１０】
（３）  前記移動体種別情報は、車種、カテゴリー種別、車種の下位分類であるグレード、外装色、のいずれかの情報を含むことを特徴とする（１）又は（２）に記載の施設情報配信サーバ。
【００１１】
（３）の施設情報配信サーバによると、車両のカテゴリー種別、車種（車種名）、車種の下位分類であるグレード、外装色等のいずれかの情報とに基づいて、当該車両種別等と相関性の高いユーザ層に適した施設をサーバで判断しているため、ユーザは複雑な操作をすること無く、簡易にユーザの属性に合致した施設情報をサーバから受信することが可能となる。また、車種の下位分類であるグレード、外装色に基づいて推薦する施設情報の表示順序を選択することで、さらに、ユーザ層を絞った施設情報を提供することが可能となる。
【００１２】
（４）  複数の施設毎に、施設名称と、施設種別と、施設提供サービスと、前記施設提供サービスのユーザ層毎の適合度と、施設位置情報とを含む施設情報を記憶する施設情報保存部（例えば、後述の「施設情報エリア１１３」等）を備えるサーバ（例えば、後述の「サーバシステム１」）が移動体（例えば、後述の「移動体６」）に対して施設情報を配信する施設情報配信方法であって、前記サーバが、前記移動体の現在位置と、前記移動体の移動体種別情報とを受信する受信ステップ（例えば、後述の「ログイン処理ステップ」、「現在位置情報処理ステップ」）と、前記受信ステップにおいて受信した前記移動体の現在位置と、前記移動体の移動体種別情報と、前記施設情報保存部に記憶された施設情報と、に基づいて、前記移動体に推薦する施設を選択する施設選択ステップ（例えば、後述の「施設選択ステップ」）と、前記施設選択ステップにおいて選択した施設の施設情報を出力する施設出力ステップ（例えば、後述の「施設情報提供ステップ」）と、を備え、前記施設選択ステップは、さらに、前記移動体の現在位置と、前記施設情報に含まれる前記施設位置情報と、に基づいて、所定数の施設を選択する第１選択ステップ（例えば、後述の「第１選択ステップ」）と、前記移動体の移動体種別情報と、前記施設情報に含まれる前記施設提供サービスのユーザ層毎の適合度と、に基づいて、前記第１選択ステップにおいて選択された所定数の施設の表示順序を選択する第２選択ステップ（例えば、後述の「第２選択ステップ」）と、を備えることを特徴とする施設情報配信方法。
【００１３】
（４）の方法によれば、（１）の施設情報配信サーバと同様の効果を奏する。
【発明の効果】
【００１４】
本発明によれば、施設情報配信サーバは、車両に乗車しているユーザに向けて、当該ユーザの属性に合致した施設情報等を優先的に表示できるように配信することが可能とする。そして、施設情報配信サーバにより多くの選択肢を当該ユーザの属性に合致した順序で表示能とするため、ユーザによる特別な操作が無くとも、ユーザは候補施設を効率的に絞り込むことができ、ユーザの満足度を高くすることを可能とする。
【図面の簡単な説明】
【００１５】
【図１】施設情報配信システム１００のシステム構成を示す図である。
【図２】サーバシステム１の構成を示す図である。
【図３】サーバシステム１の記憶部１１に含まれる移動体種別・ユーザ属性テーブルの一例を示す図である。
【図４】車両に搭載される車載ナビゲーション装置２の構成を示す図である。
【図５Ａ】車載ナビゲーション装置２に表示される、情報配信開始するための画面の例を示す図である。
【図５Ｂ】車載ナビゲーション装置２に表示される、配信された施設情報を表示する画面の例を示す図である。
【図５Ｃ】車載ナビゲーション装置２に表示される、配信された施設の位置を表示する画面の例を示す図である。
【図６】携帯端末３の構成を示す図である。
【図７】施設用端末４の構成を示す図である。
【図８Ａ】施設情報配信システム１００の処理の流れを示すフローチャートである。
【図８Ｂ】施設情報配信システム１００の処理の流れを示すフローチャートである。
【図８Ｃ】施設情報配信システム１００の処理の流れを示すフローチャートである。
【発明を実施するための形態】
【００１６】
［第１実施形態］
以下、本発明の施設情報配信システムの好ましい一実施形態について、図１〜図８Ｃを参照しながら説明する。
【００１７】
［施設情報配信システム１００の機能構成］
本発明の好ましい一実施形態に係る施設情報配信システム１００の機能構成について説明する。図１に、施設情報配信システム１００のシステム構成を示す。
【００１８】
図１に示すように、施設情報配信システム１００は、サーバシステム１と、車両５に搭載される車載ナビゲーション装置２と、携帯端末３と、施設用端末４と、を含んで構成される。以下、車載ナビゲーション装置２のような通信機器が搭載された車両５又は車両５と信号接続（ペアリング）された携帯端末３を移動体６という。
また、本発明において、車両５のカテゴリー種別、車種（車種名）、車種の下位分類であるグレード、外装色等のいずれかの情報を移動体種別情報という。移動体種別情報は、カテゴリー種別、車種名、及び車種の下位分類のうちいずれか、又は全部を含んでもよい。
カテゴリー種別とは、例えばミニバンやセダン等のような種別をいう。
車種（車種名）とは、例えば「ステップワゴン（登録商標）」、「インスパイア（登録商標）」等のような車種名である。
車種の下位分類のグレードとは、当該車種に属する車の装備や内装などに基づいて、例えば「松」「竹」「梅」のように区別されたランク（格）をいう。また、車種の下位分類の外装色とは、車の外装色（ボディーカラー）をいう。
【００１９】
サーバシステム１は、通信部１２を介して、車載ナビゲーション装置２、携帯端末３、及び施設用端末４と情報の送受信を行う。サーバシステム１は、車載ナビゲーション装置２及び携帯端末３に車両５の現在位置情報及び移動体種別情報に基づいて、車両５の現在位置から進行方向の現在位置近辺に位置している施設、車両５の現在位置から目的位置に至る経路付近に存在する車両５の種別に応じた施設を複数抽出して、車載ナビゲーション装置２及び携帯端末３に配信する。サーバシステム１は、ユーザから車載ナビゲーション装置２及び携帯端末３により、選択された施設に基づいて、当該施設を目的地としたルート情報を車載ナビゲーション装置２又は携帯端末３に配信する。
【００２０】
本発明の実施形態では、サーバシステム１を１つのサーバとして記載するが、サーバシステム１の各機能を、適宜複数のサーバに分散する、分散処理システムとしてもよい。また、クラウド上で仮想サーバ機能等を利用して、サーバシステム１の各機能を実現してもよい。
【００２１】
車両５に搭載される車載ナビゲーション装置２は可搬可能なナビゲーションデバイスであるＰＮＤ等を含む。車載ナビゲーション装置２には施設情報配信機能等を実現するためのソフトウェアがインストールされており、サーバシステム１から配信される、当該車両５のカテゴリー種別、車種、車種の下位分類であるグレード、外装色等に基づいて推定されるユーザ属性に応じた施設情報を表示することができる。
なお、施設情報配信機能等を実現するためのソフトウェアは、予めインストールされていてもよい。また、サーバシステム１との送受信時に必要に応じて適宜ダウンロードされてもよい。
【００２２】
携帯端末３は、携帯電話、スマートフォン、タブレット端末、ＰＤＡ、ノートパソコン、その他の携帯可能な電子機器であって、無線通信機能を備える電子機器を含む。携帯端末３にも、車載ナビゲーション装置２と同様に、サーバシステム１から配信される、当該車両５のカテゴリー種別、車種、車種の下位分類であるグレード、外装色等に基づいて推定されるユーザ属性に応じた施設情報を表示することができる。
なお、施設情報配信機能等を実現するためのソフトウェアは、予めインストールされていてもよい。また、サーバシステム１との送受信時に必要に応じて適宜ダウンロードされてもよい。
【００２３】
施設用端末４は、通信部４２を介して、サーバシステム１と情報の送受信を行う。施設用端末４から、サーバシステム１に対して、サーバシステム１が配信する施設情報（例えば、当該施設情報の有効期間、配信時間帯、配信画像情報、商品役務情報、クーポン情報、空き情報等）をリアルタイムで入力することができる。
また、施設用端末４は、サーバシステム１から、顧客情報（例えば、当該施設を目的地として設定した車両５、到着予想時間等）をリアルタイム（例えば、照会、電子メールによる通知等）に受信することができる。
次にそれぞれの構成について説明する。
【００２４】
最初にサーバシステム１について説明する。図２にサーバシステム１の構成を示す。
＜サーバシステム１＞
図２に示すように、サーバシステム１は、少なくとも、制御部１０と、記憶部１１と、通信部１２とを、さらに必要に応じて表示部１４と、入力部１５を備えている。
【００２５】
制御部１０はＣＰＵ、ＲＡＭ、ＲＯＭ、Ｉ／Ｏ等を有するプロセッサにより構成され、各構成部の制御をおこなう。ＣＰＵは、ＲＡＭ、ＲＯＭ又は記憶部１１から読み出したナビゲーションのための各プログラムを実行し、その実行の際にはＲＡＭ、ＲＯＭ、及び記憶部１１から情報を読み出し、ＲＡＭ及び記憶部１１に対して情報の書き込みを行い、通信部１２と信号の授受を行う。
詳細については、後述する。
【００２６】
記憶部１１は半導体メモリやハードディスクドライブ等で構成されており、オペレーティングシステム（ＯＳ）やアプリケーションと呼ばれるソフトウェアが保存される等、種々の情報が記憶される。このため、図２に示すように、記憶部１１には、移動体情報エリア１１１、地図情報エリア１１２、施設情報エリア１１３、接続履歴情報エリア１１４、移動体種別・ユーザ属性対応テーブル１１５といった、様々な記憶エリアが確保されている。
なお、これらの記憶エリアは、記憶部１１において、それぞれ個別に確保されてもいいし、また、例えば、地図情報エリア１１２と施設情報エリア１１３のような複数の記憶エリアを一体で構成してもよい。
【００２７】
記憶部１１の移動体情報エリア１１１には、移動体６に関する情報が保存される。
移動体情報エリア１１１に記憶される移動体情報（レコード）は、各移動体６を識別するための移動体識別情報（以下「移動体ＩＤ」ともいう）により一意的に管理される。ここで、移動体ＩＤは、車載ナビゲーション装置２や携帯端末３、さらに車両５に固有に振られた番号を用いることができる。
車載ナビゲーション装置２や携帯端末３の場合は、例えば、携帯電話網のＳＩＭに付与された電話番号を移動体ＩＤとすることができる。また、車両５の場合は、車両５に固有に付与されたＶＩＮ（車両識別番号）やナンバープレートの番号を移動体ＩＤとすることができる。
【００２８】
記憶部１１の地図情報エリア１１２には、道路や施設等の地物に関する情報、ナビゲーションのための地図情報、道路情報、施設位置情報、駐車場情報等が予め格納されている。地図情報には、道路及び道路地図等の背景を表示するための表示用地図データ、ノード（例えば道路の交差点、屈曲点、端点等）の位置情報及びその種別情報、各ノード間を結ぶ経路であるリンクの位置情報及びその種別情報、全てのリンクのコスト情報（例えば距離、所要時間等）に関するリンクコストデータ等を含む道路ネットワークデータ等が含まれる。
道路情報には道路の種別や信号機等のいわゆる道路地図の情報が保存されている。
施設位置情報は、各施設の位置情報が緯度経度の情報として保存されている。ここで後述の施設情報エリア１１３に保存されている施設の場合は、施設識別情報（以下「施設ＩＤ」ともいう）と紐付けることができる。
駐車場情報は、駐車場の位置情報が緯度経度の情報として保存されている。駐車場が各施設の駐車場である場合には、施設と駐車場を紐付けて保存される。
【００２９】
また、記憶部１１の地図情報エリア１１２には、交通情報センタ等から受信する交通情報が当該交通情報を受信した記録時刻とともに記憶される。交通情報には、例えばリンク毎の走行車両数、走行所要時間、渋滞情報、交通規制情報、天候情報等の移動コストを左右する要素が含まれる。また、リンクの過去の交通情報等も記録されている。
【００３０】
記憶部１１の施設情報エリア１１３には、施設の識別情報（施設ＩＤ）、名称、施設種別（及び／又はジャンル）、電話番号、住所、営業時間、緯度経度等で特定される位置情報、施設が飲食店であれば提供するメニュー、商品役務等に関する施設情報、施設による提供サービスのユーザ属性毎の適合度、空き情報、及びクーポン券発行情報等を含む各施設の情報が記憶されている施設情報データベース１１３１が含まれる。
【００３１】
施設による提供サービスのユーザ属性毎の適合度とは、当該施設が各ユーザ属性毎にどの程度適合しているかを相対的に評価した度数を意味する。例えば、当該施設がレストランの場合に、そのレストランにより提供されるサービス内容（例えば、メニュー、座席レイアウト、雰囲気等）が、各ユーザ層にどの程度適合するか、を示す度数である。
例えば、当該レストランが女性層、ファミリー層をターゲットにしている場合、女性層の適合度６０、ファミリー層の適合度３０、記念日向けの適合度１０等というように予め各ユーザ層ごとに適合度が設定されている。なお、ユーザ属性としては、この外、年配層、男性向け等が例として挙げられるが、これに限定されるものではない。
これらの適合度は、施設が後述する施設端末４を介して、施設情報エリア１１３の自身の施設情報レコードに直接入力するように構成してもよい。
【００３２】
施設ＩＤは施設毎に付与されている固有の識別情報である。施設ＩＤは、施設種別ごとに、さらに、各施設種別の中でさらにジャンル別に階層化されてＩＤが付与されていることが好ましい。例えば、施設種別としては、飲食店、スーパーマーケット、スポーツジム等の店舗種別が一例として挙げられる。さらに施設種別が飲食店の場合、ジャンル別の階層化として、和食、イタリアン、喫茶店等のジャンルが一例として挙げられる。施設種別、ジャンル等はこれに限定されない。
【００３３】
また、施設情報には、営業時間や連絡先の電話番号、飲食店であれば提供されているメニュー等の施設に関する情報が保存されている。施設情報は、車載ナビゲーション装置２及び携帯端末３等からの要求に応じ、随時提供される。
なお、施設情報エリア１１３には、施設ＩＤ毎に施設の状況（例えば、施設の時間帯毎及びユーザ毎の施設への予約状況、空き状況等を示す予約情報等）、当該施設の提供する電子クーポン等の割引情報であるクーポン情報、当該施設情報の配信に関する条件（例えば、当該施設情報の有効期間、当該施設情報の配信時間帯等）、施設毎に算出された集客実績情報（例えば、配信情報によって当該施設に誘導された集客情報、クーポン利用情報等）を記憶するようにしてもよい。
【００３４】
また、施設情報エリア１１３には、施設情報エリア１１３に記憶された施設に対応して、各施設に付与される施設評価情報を記憶するようにしてもよい。
【００３５】
記憶部１１の接続履歴情報エリア１１４には、移動体６から定期的に送信される移動体位置情報、時刻情報、目的地情報、及び移動体６の進行方向等を移動体ＩＤ毎に管理する接続履歴レコードが記憶される。移動体位置情報は、移動体６から逐次受信する現在位置の情報を記憶する。なお、受信は数秒に一度受信しても良いし、移動体側で時系列的に保存しておき、一定時間や移動体側でアプリを起動したとき等のタイミングでまとめて受信するようにしても良い。
また、移動体６から送信される移動体種別情報及び移動体の状態（例えばイグニッションオンされた状態、走行状態、イグニッションオフされた状態等）についても、移動体ＩＤ毎に管理する接続履歴レコードに記憶される。
【００３６】
記憶部１１の移動体種別・ユーザ属性対応テーブル３１５には、移動体種別と相関性の高いユーザ属性との対応付けされたデータが記憶される。図３に、移動体種別・ユーザ属性対応テーブル３１５の一例を示す。
図３に示すように、一般的に、移動体種別に応じて、当該移動体種別の利用者の属性との相関性がある程度見出されている。例えば、多人数が乗車可能なミニバンを購入するユーザは小中学生以下の子供がいる家族構成である割合が高い等の相関性がある。
また、同じ車両種別においても、車種やそのグレード又は外装色によって、購入層の異なるケースもある。例えば、図３に示すように、同じ車種名でも、グレード又は外装色によって、ファミリー向け、男性向け等と分類される。
また、スポーツタイプの車両種別でも、サイズの小さいスポーツタイプであることを示す小型スポーツ車は若者の割合が多く、大型のスポーツタイプであることを示す大型スポーツ車の車両では年配の高所得者が多い等の相関性がある。
以上のように、移動体種別・ユーザ属性対応テーブル３１５には、カテゴリー種別、車種、車種の下位分類であるグレード、外装色、のいずれかの情報を含む移動体種別と相関性の高いユーザ属性との対応付けされたデータが予め記憶される。
【００３７】
通信部１２は、車載ナビゲーション装置２及び携帯端末３と送受信する場合には、例えば、３Ｇ及びＬＴＥ等の無線通信をすることができる通信プロトコルを実装する。また、通信部１２は、施設用端末４との送受信するために、有線通信（例えば、インターネット回線等）又は無線通信することができる通信プロトコルを実装するようにしてもよい。
【００３８】
制御部１０は施設情報配信のための各プログラムを実行することによって、サーバシステム１を所定の手段（以下、「施設情報配信制御部」と総称する）として機能させる。
また、制御部１０は施設情報配信のための各プログラムを実行することによって、サーバシステム１に、所定のステップ（以下、「施設情報配信制御ステップ」と総称する）を実行させる。
【００３９】
以下、制御部１０の有する機能を施設情報配信制御部の観点から説明する。なお、施設情報配信制御ステップ（方法）の観点に基づく説明は、「部」を「ステップ」に置き換えることで説明できるため、省略する。
【００４０】
図２に示すように、制御部１０は、ログイン処理部１０１と、現在位置情報処理部１０２と、施設選択部１０４と、施設情報提供部１０５と、ルート設定部１０６と、ルート通知部１０７と、を備える。
【００４１】
＜ログイン処理部１０１＞
ログイン処理部１０１は、車載ナビゲーション装置２又は携帯端末３からのログイン処理を実行して、車載ナビゲーション装置２又は携帯端末３と接続処理を行うとともに、車載ナビゲーション装置２又は携帯端末３から送信される位置情報、移動体種別情報、時刻情報、進行方向、及び目的地情報等を管理するための接続履歴レコードを、接続履歴情報エリア１１４に作成する。
また、ログイン処理部１０１は、施設用端末４からのログイン処理を実行する。
【００４２】
＜現在位置情報処理部１０２＞
現在位置情報処理部１０２は、車載ナビゲーション装置２又は携帯端末３から定期的に送信される現在位置情報、移動体種別情報、時刻情報、車両５の進行方向等を、それぞれ前述した接続履歴レコードに追加更新する。なお、移動体種別情報については、例えばログイン時にのみ送信されるようにしてもよい。
また、移動体６が目的地に到着してから、イグニッションスイッチがオフ（エンジン停止）されるまでの間に、車載ナビゲーション装置２又は携帯端末３から、送信される現在位置情報、時刻情報、移動体６の進行方向等を接続履歴レコードに追加更新する。
【００４３】
＜施設選択部１０４＞
施設選択部１０４は、移動体６（のユーザ）に対して、当該移動体６の移動体種別情報（カテゴリー種別、車種、車種の下位分類であるグレード、外装色等）に基づいて、当該移動体６のユーザ属性を推定し、推定されたユーザ属性に応じた施設情報を配信する。
より具体的には、施設選択部１０４は、車載ナビゲーション装置２又は携帯端末３から通信部１２を介して情報配信開始要求を受信したことに応答して、移動体６の現在位置情報、及び移動体種別・ユーザ属性対応テーブル３１５を参照することで得られる当該移動体種別に対応するユーザ属性に基づいて、施設情報エリア１１３（施設情報データベース１１３１）に記憶されている施設の種別と、施設による提供サービスのユーザ属性毎の適合度、及び施設の位置情報情報と、を用いて、施設情報データベース１１３１を検索することで、移動体６に推薦する施設をその表示順序と合わせて、予め設定される第１候補数を選択する。
このため、施設選択部１０４は、第１選択部１０４１と第２選択部１０４２とを備え、移動体６に推薦する施設を表示順序を含めて選択する。
【００４４】
＜第１選択部１０４１＞
第１選択部１０４１は、移動体６の現在位置近辺に位置している施設又は現在位置から進行方向の現在位置近辺に位置している施設を第１候補数分（「第１の選択」ともいう）。選択する。この際、例えば、ユーザが情報配信開始要求をする際に、予めユーザにより要求された施設種別（及び／又はジャンル）に合致する施設を選択するようにしてもよい。
【００４５】
ここで、移動体６の現在位置近辺に位置しているとは、例えば、移動体６の現在位置から所定の距離範囲に存在することを指す。また、現在位置から進行方向の現在位置近辺に位置しているとは、例えば、移動体６の現在位置から所定の距離範囲であって、かつ移動体６の現在位置から目的位置に至る通過経路上の地点から所定の距離範囲に存在することを指す。
【００４６】
第１選択部１０４１は、予め、ユーザに希望する施設種別の下位分類のジャンル（例えば、施設種別がレストランの場合、和食、洋食、イタリアン、フレンチ等とのジャンル）を指定させ、指定されたジャンルに属する施設の中から、第１候補数の施設を選択するようにしてもよい。
【００４７】
ここで、条件に合致する施設の数が第１候補数を超える場合、例えば、移動体６の現在位置からの距離等に基づいて（例えば、近い順に）施設数が第１候補数になるように選択するように足きりをしてもよい。また、施設による提供サービスの移動体６に対応するユーザ属性の適合度の大きさに基づいて（例えば、適合度の大きい順に）施設数が第１候補数になるように選択してもよい。
逆に、前記条件に合致する施設の数が第１候補数未満の場合、例えば、移動体６の現在位置からの距離を長くして、選択するようにしてもよい。その際、距離を長くするにあたっては、所定の長さを超えないようにすることが好ましい。なお、移動体６の現在位置近辺に位置している施設が少ない場合もありえることから、条件に合致する施設の数が第１候補数未満の場合も許容する。
【００４８】
＜第２選択部１０４２＞
第２選択部１０４２は、第１選択部１０４１によって選択された第１候補数の施設の表示順序を決定する。具体的には、第２選択部１０４２は、施設情報データベース１１３１を参照して、第１選択部１０４１によって選択された各施設による提供サービスの当該移動体６に対応するユーザ属性との適合度を抽出する。第２選択部１０４２は、各施設毎に抽出された当該移動体６に対応するユーザ属性との適合度の大きい順に、施設の表示順序を決定する。
なお、第２選択部１０４２は、施設による提供サービスの当該移動体６に対応するユーザ属性との適合度に加えて、他の条件、例えば当該施設の評価点、値段が高いか安いか、当該移動体６と施設との距離、施設の空き具合（混み具合）等を加味して（例えば、重み付けすることで）表示順序を決定してもよい。この際、例えば、第２選択部１０４２は、予め、施設情報の表示順序付けの追加条件を複数用意しておき、ユーザが情報配信開始要求をする際に、追加条件を選択させるようにしてもよい。
【００４９】
施設選択部１０４は、移動体６から情報配信開始要求を受信してから、例えば予め設定された時間（例えば、３０分間）、予め設定された時間間隔（例えば５分間隔）で、移動体６の現在位置周辺及び走行ルート周辺に存在する推薦施設をその表示順序と合わせて、予め設定される第１候補数を選択する。
【００５０】
＜施設情報提供部１０５＞
施設情報提供部１０５は、施設選択部１０４により選択されたた施設情報をその表示順序と合わせて、移動体６（車載ナビゲーション装置２又は携帯端末３）に通信部１２を介して送信する。
なお、施設情報提供部１０５は、前述したように、移動体６から情報配信開始要求を受信してから、予め設定された時間（例えば、３０分間）、予め設定された時間間隔（例えば５分間隔）で、施設選択部１０４により検索抽出した施設情報を送信するように構成してもよい。
【００５１】
＜ルート設定部１０６＞
車載ナビゲーション装置２又は携帯端末３から、施設情報提供部１０５により送信された施設情報の中から選択された少なくとも１つの施設の位置情報を受信したことに応答して、ルート設定部１０６は、当該選択された少なくとも１つの施設の位置情報を目的地として設定する。
ルート設定部１０６は、車両５の現在位置から目的地として設定した施設までのルート情報を算出する。ルート情報の算出に際しては、記憶部１１の地図情報エリア１１２等に記憶されている交通情報や地図情報を用いて、到着時刻や有料道路の使用有無等の各種条件を加味したうえで最適なルートを算出する。
ここで最適なルートとは、例えば最も到着時間が短くなる、距離が最も短い、一般道路を優先する、有料道路を優先する、有料道路等の料金が少ない、ＣＯ２排出量が少ない等、ユーザの指定する目的とする条件を最も満たすルートのことである。
【００５２】
＜ルート通知部１０７＞
ルート通知部１０７は、通信部１２を介して、ルート設定部１０６により算出されたルート情報を車載ナビゲーション装置２又は携帯端末３に送信する。
その際、ルート通知部１０７は、目的地として設定された施設と移動体ＩＤ（又はユーザＩＤ）とを対応付けて記憶部１１に記憶する。
なお、ルート通知部１０７は、顧客情報（例えば、当該施設を目的地として設定した車両５又はユーザ情報、来店人数、到着予想時間、他の施設が目的地設定されているか否か等）を、目的地として設定された施設の施設用端末４に通知するようにしてもよい。
そうすることで、目的地としてルート設定された施設は、来客予想をすることが可能となる。
【００５３】
＜別実施例＞
なお、別実施例として、ルート算出を車載ナビゲーション装置２又は携帯端末３で行う場合、ルート設定部１０６は、当該選択された少なくとも１つの施設の位置情報を目的地として設定し、ルート通知部１０７は、目的地として設定された施設の位置情報を含む施設情報を車載ナビゲーション装置２又は携帯端末３に送信するとともに、当該施設と移動体ＩＤ（又はユーザＩＤ）とを対応付けて記憶部１１に記憶する。
そうすることで、車載ナビゲーション装置２又は携帯端末３は、移動体６の現在位置から目的地として設定された施設に至るルート情報を算出することができる。
この場合、ルート通知部１０７は、車載ナビゲーション装置２又は携帯端末３から当該施設への到着予想時間を取得したうえで、顧客情報（例えば、当該施設を目的地として設定した車両情報、到着予想時間等）を、目的地として設定された施設の施設用端末４に通知するようにしてもよい。
【００５４】
＜車載ナビゲーション装置２＞
次に車載ナビゲーション装置２について説明する。図４に、車載ナビゲーション装置２の構成を示す。
図４に示すように、車両５に搭載される車載ナビゲーション装置２は、少なくとも、制御部２０と、記憶部２１と、無線部２２と、センサ部２３と、表示部２４と、入力部２５とを備える。
【００５５】
制御部２０はマイクロプロセッサ等から構成され、各構成部の制御をおこなう。詳細については、後述する。
【００５６】
記憶部２１は半導体メモリ等で構成されており、オペレーティングシステム（ＯＳ）や施設情報表示、ルート案内等のための各プログラム、さらに地図情報や位置情報等、種々の情報が記憶される。なお、地図情報については、記憶部２１に予め記憶しておく構成、又はサーバシステム１から取得する構成でも良い。
【００５７】
無線部２２は、ＤＳＰ（Ｄｉｇｉｔａｌ  Ｓｉｇｎａｌ  Ｐｒｏｃｅｓｓｏｒ）等を有し、３ＧやＬＴＥ等の携帯電話網に代表される無線通信網を通じて無線通信を行い、サーバシステム１と無線通信を行うことが可能に構成されている。
無線部２２は、車両５を識別する識別番号（以下、「車両ＩＤ」ともいう）、パスワード、移動体種別情報、車両５の現在位置情報、現在時刻情報、及び施設情報の配信要求等をサーバシステム１に送信し、車両５の現在位置周辺及び走行ルート周辺に存在する推薦施設情報をその表示順序と合わせてサーバシステム１から受信することができる。
【００５８】
センサ部２３は、車両５に備えられたＧＰＳセンサ、車速センサ、ジャイロセンサ等から構成される。センサ部２３は、現在位置を検出する位置検出手段としての機能を備え、ＧＰＳセンサによりＧＰＳ衛星信号を受信し、車両５の現在位置（緯度及び経度）を測位する。また、車速センサ、ジャイロセンサ、地磁気センサ等を備えることにより自律航法によって車両５の現在位置を測位することができ、ＧＰＳセンサがＧＰＳ衛星信号から測位できない場合に、これに代わって現在位置を測位することができる。
また、ＧＰＳ通信が不可能な場合、ＡＧＰＳ（Ａｓｓｉｓｔｅｄ  Ｇｌｏｂａｌ  Ｐｏｓｉｔｉｏｎｉｎｇ  Ｓｙｓｔｅｍ）通信を利用し、無線部２２から取得される基地局情報によって車両５の現在位置を算出することも可能である。
【００５９】
表示部２４は、液晶ディスプレイ又は有機ＥＬパネル等の表示デバイスにより構成され、制御部２０からの指示を受けて画像を表示する。表示部１５は、車両５の現在位置、記憶部２１から読み出された車両５の現在位置周辺の地図情報、無線部２２を介してサーバシステム１から取得した、表示順序を含む施設情報、ユーザにより設定された目的地、ルート情報等の各種情報を表示することができる。
【００６０】
入力部２５は、テンキーと呼ばれる物理スイッチや表示部２４の表示面に重ねて設けられたタッチパネル等の入力装置（図示せず）等で構成される。入力部２５からの操作入力、例えばユーザによるテンキーの押下、タッチパネルのタッチに基づいた信号を制御部２０に出力することで、地図表示と施設情報表示の切替、施設情報表示のスクロール、立ち寄る施設決定、地図の拡大縮小等の操作を行うことができる。
なお、この他、図示しないが、スピーカ１６、マイク１７を備えることができる。スピーカ１６は、運転者に対して音声出力を行い、マイク１７は、運転者によって発せられた音声等を集音する。
そうすることで、情報をスピーカ１６から音声で出力し、マイク１７を介して音声入力された運転者（又はユーザ）による各種の選択、指示を音声認識技術により、制御部２０に入力することもできる。
【００６１】
制御部２０はＣＰＵ、ＲＡＭ、ＲＯＭ、Ｉ／Ｏ等を有するマイクロプロセッサにより構成される。ＣＰＵは、ＲＯＭ又は記憶部２１から読み出した各プログラムを実行し、その実行の際にはＲＡＭ、ＲＯＭ、及び記憶部２１から情報を読み出し、ＲＡＭ及び記憶部２１に対して情報の書き込みを行い、無線部２２、センサ部２３、表示部２４、及び入力部２５と信号の授受を行う。
【００６２】
制御部２０は、各プログラム（以下、「施設情報配信アプリケーション」とも総称する）を実行することによって、車載ナビゲーション装置２に所定の手段（以下、「施設情報配信部」と総称する）として機能させる。例えば、施設情報配信のためのプログラムを起動すると、サーバシステム１からの施設情報配信を受ける施設案内が可能となる。
また、制御部２０は各プログラムを実行することによって、車載ナビゲーション装置２に、所定の手順（以下、「施設情報配信手順」と総称する）を実行させる。
【００６３】
以下、制御部２０の有する機能を施設情報配信部の観点から説明する。なお、施設情報配信手順（方法）の観点に基づく説明は、「部」を「手順」に置き換えることで説明できるため、省略する。
【００６４】
図４に示すように、制御部２０は、接続処理部２０１と、位置情報更新部２０２と、情報配信設定部２０３と、施設表示部２０４と、ルート案内部２０５と、を備える。
【００６５】
＜自動起動＞
車載ナビゲーション装置２は、運転者により車両５のイグニッションスイッチがオン（エンジンを始動）にされることによって自動起動する。車載ナビゲーション装置２は、運転者により車両５のイグニッションスイッチがオフ（エンジンを停止）にされるまで稼働する。
【００６６】
＜接続処理部２０１＞
接続処理部２０１は、車載ナビゲーション装置２が自動起動されると、サーバシステム１に対して、例えば、車両５を識別する識別番号（車両ＩＤ）及びパスワードを用いてログイン処理を実行し、移動体種別情報、センサ部２３により算出した車両５の現在位置情報、及び計時部（図示せず）から取得した現在時刻情報等をサーバシステム１に送信する。
【００６７】
＜位置情報更新部２０２＞
位置情報更新部２０２は、定期的に、車両ＩＤ、センサ部２３により算出した車両５の現在位置情報、及び計時部（図示せず）から取得した現在時刻情報等をサーバシステム１に送信する。なお、送信される情報として、センサ部２３により算出した車両５の進行方向を含むことができる。
位置情報更新部２０２は、所定の時間間隔（例えば３秒間隔）で取得する車両５の現在位置情報及び現在時刻情報等を、その都度リアルタイムにサーバシステム１に送信する。また、リアルタイムにサーバシステム１に送信する替わりに、複数個まとめて（例えば５分間分の車両５の現在位置情報及び現在時刻情報等をまとめて）、一度に送信（いわゆるバースト送信）するようにしてもよい。
なお、車両５の現在位置情報等の取得時間間隔（例えば、３秒間隔）、又は複数個まとめてバースト送信する場合の一度に送信する個数等については、予め設定することができる。
また、車両５の進行方向を含めることで、後述するサーバシステム１が、車両５の現在位置から進行方向に一定距離内にある施設を候補として提示することを可能とする。そうすることで、車両５の進行方向から車両５を引き返す必要のある施設を候補として提示することを防ぐことが可能となる。
【００６８】
なお、後述するルート案内部２０５により車両５が施設等の目的地に到着したと判断してから、イグニッションスイッチがオフ（エンジン停止）されるまでの間に、位置情報更新部２０２は、車両ＩＤ、センサ部２３により算出した車両５の現在位置情報、及び計時部（図示せず）から取得した現在時刻情報等をサーバシステム１に送信することができる。
【００６９】
＜情報配信設定部２０３＞
情報配信設定部２０３は、図５Ａに示すように、表示部２４に、例えば「情報配信開始ＯＮ」ボタンを表示して、ユーザによる当該ボタンのタッチ操作により、情報配信開始をオンに操作された場合、無線部２２を介して、情報配信開始要求を、サーバシステム１に送信する。ここで、情報配信開始要求は、少なくとも車両ＩＤ、移動体種別情報、センサ部２３により算出した車両５の現在位置情報、及び計時部（図示せず）から取得した現在時刻情報等を含む。なお、入力部２５を介して、情報配信をオンにすることができる。
なお、例えば、施設の施設種別一覧を表示部２４に表示し、ユーザに施設の施設種別を選択させることで、当該選択された施設種別に属する施設の情報配信開始要求を行うことができる。
【００７０】
情報配信設定部２０３は、情報配信開始要求をすることで、サーバシステム１から、例えば、車両５の現在位置周辺及び走行ルート周辺に存在する推薦施設に関する施設情報を、予め設定された時間（例えば、３０分間）、予め設定された時間間隔（例えば５分間隔）で受信する。なお、カッコ内に記載の時間及び時間間隔は一例であり、限定されるものではない。
【００７１】
＜施設表示部２０４＞
施設表示部２０４は、サーバシステム１から配信される、例えば車両５の現在位置周辺及び走行ルート周辺に存在する推薦施設に関する施設情報を第１候補数分、無線部２２を介して受信する。なお、施設情報は、前述のとおり、予め設定された時間（例えば、３０分間）に予め設定された時間間隔（例えば５分間隔）で配信される。
ここで、施設情報は、例えば、施設の識別情報、名称、施設種別（及び／又はジャンル）、電話番号、住所、例えば緯度経度等で特定される位置情報、施設の提供するサービス（商品及び／又は役務）等に関する情報、空き情報、及びクーポン券発行情報等を含むことができる。
また、配信される施設情報は、前述したように、施設による提供サービスの当該車両５（移動体６）に対応するユーザ属性の適合度に基づく表示順序が決定されている。
【００７２】
施設表示部２０４は、配信された施設情報を表示順序にしたがって表示部２４に表示する。より具体的には、施設表示部２０４は、例えば、図５Ｂに示すように、表示順序１番目の施設から表示順序ｎ番目（ｎは１以上の予め設定された整数）の施設を同時に表示することができる。図５Ｂの例では、ｎ＝１としているが、例えば、ｎを複数に設定してもよい。なお、図示しないが、上記のように表示された施設情報を例えばタップすることで、当該施設情報の詳細を表示するようにしてもよい。
また、図示しないが、例えば所定のスワイプ操作（例えば左右のスワイプ操作）等によりスクロール又は次画面表示を行うことで、表示順序ｎ＋１番目以降の施設情報を表示するようにしてもよい。
【００７３】
施設表示部２０４は、表示部２４に表示した車両５の現在位置周辺の地図上に配信された施設の位置を表示することができる。より具体的には、施設表示部２０４は、例えば図５Ｃに示すように、車両５の現在位置周辺の地図上に配信された施設の位置情報を表示することができる。この際、施設表示部２０４は、地図上に表示される施設を当該施設の表示順序に基づいて、表示順序に対応付けて異なる色（または、異なる濃度）等により表示するようにしてもよい。そうすることで、施設の表示順序（ユーザ属性との適合度）を地図表示においても直感的に把握することが可能となる。
施設表示部２０４は、表示部２４に、地図表示と、前述した施設情報と、を同時に表示するようにしてもよい。また、施設表示部２０４は、所定のスワイプ操作（例えば、上下のスワイプ操作）により、地図表示と施設情報表示とを切り替えるようにしてもよい。
なお、左右又は上下のスワイプ操作を一例として挙げたが、これに代えて例えば、シングルタッチによるスワイプ操作又はマルチタッチによるスワイプ操作による画面表示を行うようにしてもよい。
また、図示しないが、表示部２４の表示領域を２分割して、分割したそれぞれの表示領域に車両５の現在位置周辺の地図上に配信された施設の位置、及び配信された施設情報を表示するようにしてもよい。
【００７４】
施設表示部２０４は、例えばタップ操作等により、ユーザに立ち寄りたい施設を選択させることができる。施設表示部２０４は、無線部２２を介して、ユーザにより選択された施設を、サーバシステム１に送信することができる。
なお、サーバシステム１から配信された施設情報をスピーカ１６から音声で出力し、施設選択をマイク１７を介して音声入力することで、音声認識技術により、制御部２０に入力するように構成することもできる。
【００７５】
＜ルート案内部２０５＞
ルート案内部２０５は、サーバシステム１から、施設表示部２０４によって選択された施設を目的地とするルート情報を無線部２２を介して受信する。ルート案内部２０５は、受信したルート情報に基づいて、ルート案内を実行する。
なお、別実施例として、ルート情報は、サーバシステム１から受信するのに換えて、車載ナビゲーション装置２（例えば、ルート案内部２０５）により算出するようにしてもよい。
【００７６】
なお、前述したように、ルート案内部２０５により車両５が施設等の目的地に到着したと判断してから、イグニッションスイッチがオフ（エンジン停止）されるまでの間に、位置情報更新部２０２は、車両ＩＤ、センサ部２３により算出した車両５の現在位置情報、及び計時部（図示せず）から取得した現在時刻情報等をサーバシステム１に送信することができる。
【００７７】
＜携帯端末３＞
次に、携帯端末３について説明する。図６に携帯端末３の構成を示す。
図６に示すように、携帯端末３は、少なくとも、制御部３０と、記憶部３１と、無線部３２と、センサ部３３と、表示部３４と、入力部３５とを備える。
【００７８】
制御部３０はマイクロプロセッサ等から構成され、各構成部の制御をおこなう。詳細については、後述する。
【００７９】
記憶部３１は半導体メモリ等で構成されており、オペレーティングシステム（ＯＳ）やルート案内のための各プログラム、さらに地図情報、道路リンク情報、及び位置情報等、種々の情報が記憶される。なお、地図情報、道路リンク情報等については、記憶部３１に予め記憶しておく構成でもよい。また、サーバシステム１から適宜取得する構成でも良い。
【００８０】
無線部３２は、ＤＳＰ（Ｄｉｇｉｔａｌ  Ｓｉｇｎａｌ  Ｐｒｏｃｅｓｓｏｒ）等を有し、３ＧやＬＴＥ等の携帯電話網に代表される無線通信網を通じて無線通信を行い、サーバシステム１と無線通信を行うことが可能に構成されている。
無線部３２は、携帯端末３の現在位置情報、サービス加入状態を識別するＩＤ（以下、「ユーザＩＤ」という）やパスワード、目的地として設定した施設情報等をサーバシステム１に送信し、施設情報や施設の電子クーポン情報、さらにルート情報等をサーバシステム１から受信することができる。
【００８１】
センサ部３３は、ＧＰＳセンサ、ジャイロセンサ、地磁気センサ等から構成される。センサ部３３は、現在位置を検出する位置検出手段としての機能を備え、ＧＰＳセンサによりＧＰＳ衛星信号を受信し、携帯端末３の現在位置（緯度及び経度）を測位する。
また、ＧＰＳ通信が不可能な場合、ＡＧＰＳ（Ａｓｓｉｓｔｅｄ  Ｇｌｏｂａｌ  Ｐｏｓｉｔｉｏｎｉｎｇ  Ｓｙｓｔｅｍ）通信を利用し、無線部３２から取得される基地局情報によって車両５の現在位置を算出することも可能である。
【００８２】
表示部３４は、液晶ディスプレイ、又は有機ＥＬパネル等の表示デバイスにより構成され、制御部３０からの指示を受けて画像を表示する。表示部３４は、携帯端末３の現在位置、記憶部３１から読み出された携帯端末の現在位置周辺の地図情報、無線部３２を介してサーバシステム１から取得した施設情報、ユーザにより設定された目的地、ルート情報等の各種情報を表示する。
【００８３】
入力部３５は、テンキーと呼ばれる物理スイッチや表示部３４の表示面に重ねて設けられたタッチパネル等の入力装置（図示せず）等で構成される。入力部３５からの操作入力、例えばユーザによるテンキーの押下、タッチパネルのタッチに基づいた信号を制御部３０に出力することで、立ち寄る施設決定、地図の拡大縮小等の操作を行うことができる。
【００８４】
携帯端末３は、例えばＮＦＣ（Ｎｅａｒ  Ｆｉｅｌｄ  Ｃｏｍｍｕｎｉｃａｔｉｏｎ）と呼ばれる非接触通信又は有線による近距離通信部２６を備えることができる。
そして、車輌が近距離通信部を備え、例えば車両５のＥＣＵ（Ｅｌｅｃｔｒｏｎｉｃ  Ｃｏｎｔｒｏｌ  Ｕｎｉｔ）が携帯端末３と、近距離通信部２６を介して、通信することができる場合、携帯端末３は、移動体種別情報や車両５の状態（例えばイグニッションオンされた状態、走行状態、イグニッションオフされた状態等）を取得することができる。なお、車両５がＧＰＳセンサを備える場合、携帯端末３は、車両５のＧＰＳセンサにより測位された車両５の位置情報を取得するようにしてもよい。
より具体的には、ユーザが携帯端末３を所持して車両５に乗車し、イグニッションスイッチ等の車両５の起動スイッチをオンにすると、車両５と携帯端末３とがペアリングされ、車両５又は携帯端末３で測位した位置情報が携帯端末３からサーバシステム１にアップロードするようにできる。さらに、起動スイッチがオフにされると、車両５と携帯端末３とのペアリングが解除され、解除された時の位置が最終の車両位置、すなわち駐車位置としてサーバシステム１にアップロードするようにできる。
【００８５】
制御部３０はＣＰＵ、ＲＡＭ、ＲＯＭ、Ｉ／Ｏ等を有するマイクロプロセッサにより構成される。ＣＰＵは、ＲＯＭ又は記憶部３１から読み出した各プログラムを実行し、その実行の際にはＲＡＭ、ＲＯＭ、及び記憶部３１から情報を読み出し、ＲＡＭ及び記憶部３１に対して情報の書き込みを行い、無線部３２、センサ部３３、表示部３４、及び入力部３５と信号の授受を行う。
【００８６】
制御部３０は、各プログラム（以下、「携帯端末＿施設情報配信アプリケーション」とも総称する）を実行することによって、携帯端末３を所定の手段（以下、「携帯端末＿施設情報配信部」とも総称する）として機能させる。例えば、施設情報配信のためのプログラムを起動すると、サーバシステム１からの施設情報配信を受ける施設案内が可能となる。なお、携帯端末＿施設情報配信アプリケーションの機能は、基本的に車載ナビゲーション装置２の施設情報配信アプリケーションと同等である。
また、制御部３０は各プログラムを実行することによって、携帯端末３に、所定の手順（以下、「施設情報配信手順」と総称する）を実行させる。
【００８７】
以下、制御部３０の有する機能を携帯端末＿施設情報配信部の観点から説明する。なお、携帯端末＿施設情報配信手順（方法）の観点に基づく説明は、「部」を「手順」に置き換えることで説明できるため、省略する。
【００８８】
図６に示すように、制御部３０は、携帯端末＿接続情報取得部３００と、携帯端末＿接続処理部３０１と、携帯端末＿位置情報更新部３０２と、携帯端末＿施設情報配信設定部２０３と、携帯端末＿施設表示部３０４と、携帯端末＿ルート案内部３０５と、携帯端末＿接続情報取得部２０６と、を備える。
ユーザがイグニッションスイッチ等の車両５の起動スイッチをオンにすると、車両５と携帯端末３とがペアリングされ、携帯端末＿施設情報配信部が起動するように構成される。また、イグニッションスイッチ等の車両５の起動スイッチをオフにされると、車両５と携帯端末３とがペアリングが解消され、携帯端末＿施設情報配信部はその機能を停止する。
【００８９】
＜携帯端末＿接続情報取得部３００＞
携帯端末＿接続情報取得部３００は、近距離通信部２６を介して、車両５のＥＣＵ（Ｅｌｅｃｔｒｏｎｉｃ  Ｃｏｎｔｒｏｌ  Ｕｎｉｔ）と通信することで、移動体種別情報や車両５の状態（例えばイグニッションオンされた状態、走行状態、イグニッションオフされた状態等）を取得する。また、車両５がＧＰＳセンサを備える場合、携帯端末＿接続情報取得部３００は、車両５のＧＰＳセンサにより測位された車両５の位置情報を取得するようにしてもよい。
携帯端末＿接続情報取得部３００は、車両５のＥＣＵから取得した移動体種別情報や車両５の状態（例えばイグニッションオンされた状態、走行状態、イグニッションオフされた状態等）を、後述する携帯端末＿接続処理部３０１及び携帯端末＿位置情報更新部３０２に提供することで、携帯端末＿接続処理部３０１及び携帯端末＿位置情報更新部３０２は、サーバシステム１に対して、移動体種別情報、車両５の状態等を送信することができる。
【００９０】
＜携帯端末＿接続処理部３０１＞
携帯端末＿接続処理部３０１は、車両５とペアリングされると、ＧＰＳセンサ等をＯＮにするとともに、移動体６を識別する識別番号（移動体ＩＤ）及びパスワードを用いてログイン処理を実行し、携帯端末＿接続情報取得部３００を介して取得した移動体種別情報、センサ部１３により算出した車両５の現在位置情報、及び計時部（図示せず）から取得した現在時刻情報等をサーバシステム１に送信する。
【００９１】
＜携帯端末＿位置情報更新部３０２＞
携帯端末＿位置情報更新部３０２は、車載ナビゲーション装置２の位置情報更新部２０２と同等の機能を有する。車載ナビゲーション装置２及び位置情報更新部２０２を、それぞれ携帯端末３及び携帯端末＿位置情報更新部３０２に読み替えることで、その機能を説明することができる。例えば、携帯端末＿位置情報更新部３０２は、車載ナビゲーション装置２の位置情報更新部と同様に、定期的に、移動体ＩＤ、センサ部３３により算出した携帯端末３の現在位置情報、及び計時部（図示せず）から取得した現在時刻情報等をサーバシステム１に送信する。なお、送信情報として、センサ部３３により算出した携帯端末３の進行方向、携帯端末＿接続情報取得部３００により車両５のＥＣＵから取得した移動体種別情報、車両５の状態等を含むことができる。
【００９２】
＜携帯端末＿情報配信設定部３０３＞
携帯端末＿情報配信設定部３０３は、車載ナビゲーション装置２の情報配信設定部２０３と同等の機能を有する。車載ナビゲーション装置２及び情報配信設定部２０３を、それぞれ携帯端末３及び携帯端末＿情報配信設定部３０３に読み替えることで、その機能を説明することができるため、詳細な説明は省略する。
【００９３】
＜携帯端末＿施設表示部３０４＞
携帯端末＿施設表示部３０４は、車載ナビゲーション装置２の施設表示部２０４と同等の機能を有するため、車載ナビゲーション装置２及び施設表示部２０４を、それぞれ携帯端末３及び携帯端末＿施設表示部３０４に読み替えることで、その機能を説明することができるため、その詳細な説明は省略する。
なお、携帯端末＿施設表示部３０４は、選択された当該施設のクーポン情報等を、携帯端末３の記憶部に記憶する。
そうすることで、当該施設に入店した際に、当該施設のクーポン情報を表示部３４に表示することで、クーポン情報記載の優待条件を受けることが可能となる。
【００９４】
＜携帯端末＿ルート案内部３０５＞
携帯端末＿ルート案内部３０５は、携帯端末＿施設表示部３０４によって選択された施設を目的地とするルート情報を無線部３２を介して受信することができる。携帯端末＿ルート案内部３０５は、受信したルート情報に基づいて、ルート案内を実行することができる。携帯端末＿ルート案内部３０５は、車載ナビゲーション装置２のルート案内部２０５と同等の機能を有する。車載ナビゲーション装置２及びルート案内部２０５を、それぞれ携帯端末３及び携帯端末＿ルート案内部３０５に読み替えることで、その機能を説明することができるため、その詳細な説明は省略する。
なお、携帯端末３によるルート案内を開始した場合は、ユーザが車両５から下車後に、徒歩や公共交通機関を使用した場合でもルート案内を続けることが可能となる。
また、別実施例として、ルート情報は、サーバシステム１から受信するのに換えて、携帯端末３（例えば、携帯端末＿ルート案内部３０５）により算出するようにしてもよい。
携帯端末３のルート案内部２０５によるルート案内を利用しない場合は、携帯端末＿ルート案内部３０５のタスクを終了させてもよい。
【００９５】
＜施設用端末４＞
次に、施設用端末４について概説する。図７に施設用端末４の構成を示す。
図７に示すように、施設用端末４は、少なくとも、制御部４０と、記憶部４１と、通信部４２と、表示部４４と、入力部４５とを備える。各部の構成は、例えば、携帯端末３及びサーバシステム１の対応する各部の構成とそれぞれ同様である。
【００９６】
制御部４０は各プログラムを実行することによって、施設用端末４を所定の手段（以下、「施設情報配信制御部」と総称する）として機能させる。
また、制御部４０は施設情報配信制御のための各プログラムを実行することによって、施設用端末４に、所定のステップ（以下、「施設情報配信制御ステップ」と総称する）を実行させる。
【００９７】
以下、制御部４０の有する機能を施設情報配信制御部の観点から説明する。なお、施設情報配信制御ステップ（方法）の観点に基づく説明は、「部」を「ステップ」に置き換えることで説明できるため、省略する。
【００９８】
図６に示すように、制御部４０は、ログイン処理部４０１と、配信情報編集部４０２と、顧客情報処理部４０３と、を備える。
【００９９】
＜ログイン処理部４０１＞
ログイン処理部４０１は、例えば、施設を識別する識別番号（施設ＩＤ）及びパスワードを用いて、サーバシステム１に対してログイン処理を実行する。
【０１００】
＜配信情報編集部４０２＞
配信情報編集部４０２は、例えば施設の管理者の入力に基づき、サーバシステム１（記憶部１１の施設情報エリア１１３）に記憶される、施設情報の内容（例えば、当該施設情報の有効期間、配信画像情報、商品役務情報、クーポン情報、空き状況等）、当該施設情報の配信に関する条件（例えば、当該施設情報の有効期間、当該施設情報の配信時間帯等）、及び当該施設による提供サービスのユーザ層ごとの適合度等をリアルタイムに作成更新することができる。
そうすることで、例えば、施設の管理者は、当該施設がターゲットとしているユーザ層に対して施設情報を優先的に配信できるようにすることができる。また、施設の管理者は、施設が混雑している場合に、サーバシステム１が当該施設情報を配信しないように、当該施設情報の配信に関する条件を設定することができる。
また、例えば、施設の管理者は、配信画像情報、クーポン情報、空き情報等をタイムリーに設定することで販売促進が可能となる。
また、施設の管理者は、当該施設による提供サービスのユーザ層ごとの適合度等を設定することで、特定のユーザ層に対する販売促進をすることができる。
【０１０１】
＜顧客情報処理部４０３＞
顧客情報処理部４０３は、サーバシステム１（ルート通知部１０７）から、顧客情報（例えば、当該施設を目的地として設定した車両情報、到着予想時間等）を受信することができる。そうすることで、例えば、施設の管理者は、来客予想をすることが可能となる。
【０１０２】
以上、本発明の施設情報配信システム１００の各機能部の実施形態を、サーバシステム１、車両５に搭載される車載ナビゲーション装置２、又は車両５と信号接続（ペアリング）された携帯端末３、及び施設用端末４の構成に基づいて説明した。
【０１０３】
（施設情報配信システム１００の動作）
以上、施設情報配信システム１００の構成について説明した。続いて、施設情報配信システム１００の動作について車載ナビゲーション装置２を例として説明する。図８Ａ〜図８Ｃは、施設情報配信システム１００の処理の流れを示すフローチャートである。
【０１０４】
図８Ａを参照すると、ステップＳ１０１において、車載ナビゲーション装置２は、運転者により車両５（移動体６）のイグニッションスイッチがオン（エンジンを始動）にされることによって自動起動し、車載ナビゲーション装置２（接続処理部２０１）は、サーバシステム１に移動体ＩＤ及びパスワードを用いてログイン要求（接続要求）を送信し、移動体種別情報、移動体６の現在位置及び現在時刻等を送信する。
【０１０５】
ステップＳ２０１において、サーバシステム１（ログイン処理部１０１）は、車載ナビゲーション装置２と接続処理を行い、車載ナビゲーション装置２から受信した移動体ＩＤをキーとして、移動体種別情報、現在位置及び現在時刻等を管理するための接続履歴レコードを、接続履歴情報エリア１１４に作成する。
【０１０６】
ステップＳ１０２において、車載ナビゲーション装置２（位置情報更新部２０２）は、定期的に、移動体ＩＤ、車両５の現在位置情報、現在時刻情報、及び進行方向等をサーバシステム１に送信する。
【０１０７】
ステップＳ２０２において、サーバシステム１（現在位置情報処理部１０２）は、車載ナビゲーション装置２から、移動体ＩＤ、現在位置情報、現在時刻情報、及び進行方向等の情報を受信した場合、当該移動体ＩＤをキーとする接続履歴レコードに追記して記憶する。
【０１０８】
ステップＳ１０３において、車載ナビゲーション装置２（情報配信設定部２０３）は、ユーザにより、情報配信をオンに操作されたか否かを判定する。情報配信をオンにする操作がされた場合（Ｙｅｓ）には、ステップＳ１０４へ移る。情報配信をオンにする操作がない場合（Ｎｏ）には、ステップＳ１０２へ移る。
【０１０９】
ステップＳ１０４において、車載ナビゲーション装置２（情報配信設定部２０３）は、移動体ＩＤ、移動体種別情報、車両５の現在位置情報、及び現在時刻情報等を含む情報配信開始要求を、サーバシステム１に送信する。なお、情報配信要求に、ユーザが情報配信を希望する施設の施設種別(及び／又はジャンル）を含めることができる。
【０１１０】
ステップＳ２０３において、サーバシステム１（施設選択部１０４）は、後述の施設選択処理ルーチンを実行することで、移動体６に推薦する施設を予め設定される第１候補数を選択するとともに、施設による提供サービスの移動体６に対応するユーザ属性の適合度に基づく表示順序を決定する。なお、サーバシステム１（施設選択部１０４）は、予め設定された時間（例えば、３０分間）、予め設定された時間間隔（例えば５分間隔）で、施設選択処理を行う。
【０１１１】
ステップＳ２０４において、サーバシステム１（施設情報提供部１０５）は、施設選択部１０４により選択した施設情報を表示順序とともに車載ナビゲーション装置２に送信する。なお、サーバシステム１（施設情報提供部１０５）は、予め設定された時間、予め設定された時間間隔で施設選択部１０４により検索抽出された施設情報を送信する。
【０１１２】
ステップＳ１０５において、車載ナビゲーション装置２（施設表示部２０４）は、表示部２４に表示した車両５の現在位置周辺の地図上に配信された施設の位置を表示するとともに、サーバシステム１から受信した施設情報を表示順序にしたがって表示部２４に表示する。なお、図示しないが、車両５が走行中の場合、サーバシステム１から配信された施設情報をスピーカ１６から音声で出力するようにしてもよい。
【０１１３】
次に図８Ｂを参照すると、ステップＳ１０６において、車載ナビゲーション装置２（施設表示部２０４）は、ユーザにより、希望する施設が選択されたか否かを判定する。希望する施設が選択された場合（Ｙｅｓ）には、ステップＳ１０７へ移る。施設の選択がない場合（Ｎｏ）には、ステップＳ１０５へ移る。
【０１１４】
ステップＳ１０７において、車載ナビゲーション装置２（施設表示部２０４）は、ユーザにより選択された施設を、サーバシステム１に送信する。
【０１１５】
ステップＳ２０５において、サーバシステム１（ルート設定部１０６）は、車載ナビゲーション装置２から受信した、ユーザにより選択された施設の位置情報を目的地として設定し、車両５の現在位置からのルートを算出する。
【０１１６】
ステップＳ２０６において、サーバシステム１（ルート通知部１０７）は、ルート設定部１０６により算出されたルート情報を車載ナビゲーション装置２に送信する。また、図示しないが、サーバシステム１（ルート通知部１０７）は、顧客情報（例えば、当該施設を目的地として設定した車両情報、到着予想時間等）を、目的地としてルート設定された施設の施設用端末４に通知するようにしてもよい。
【０１１７】
ステップＳ２０７において、サーバシステム１（ルート通知部１０７）は、車両５が目的地を設定した旨の履歴情報（移動体ＩＤ、目的地設定日時、目的地とした施設情報等）を記憶部１１に記録する。
【０１１８】
ステップＳ１０８において、車載ナビゲーション装置２（ルート案内部２０５）は、サーバシステム１から受信したルート情報にしたがって、表示部２４にルート案内を表示して、ルート案内を開始する。なお、図示しないが、ルート案内中においても、車載ナビゲーション装置２（位置情報更新部２０２）は、移動体ＩＤ、車両５の現在位置情報、及び現在時刻情報等をサーバシステム１に送信し、サーバシステム１（現在位置情報処理部１０２）は、車載ナビゲーション装置２から、受信した、現在位置情報（到着地位置情報）、及び現在時刻情報等を接続履歴レコードに追記して記憶することができる。
【０１１９】
ステップＳ１０９において、車載ナビゲーション装置２（ルート案内部２０５）により車両５が目的地に到着したと判断してから、イグニッションスイッチがオフ（エンジン停止）されるまでの間に、車載ナビゲーション装置２（位置情報更新部２０２）は、車両ＩＤ、車両５の現在位置情報、及び現在時刻情報等をサーバシステム１に送信する。
【０１２０】
ステップＳ１１０において、車載ナビゲーション装置２は、運転者により車両５のイグニッションスイッチがオフ（エンジンを停止）にされることによって稼働を停止する。
【０１２１】
次に、図８Ｃを参照して、施設選択処理フローを説明する。
ステップＳ２１１において、サーバシステム１（第１選択部１０４１）は、移動体種別・ユーザ属性対応テーブル３１５を参照して、車載ナビゲーション装置２から受信した当該移動体６の移動体種別情報に対応するユーザ属性（以下、「ユーザ属性Ａ」という）を取得する。
【０１２２】
ステップＳ２１２において、サーバシステム１（第１選択部１０４１）は、施設情報データベース１１３１を参照して、少なくとも次の条件１、条件２を満たす施設情報を第１候補数分抽出する。
条件１：施設の施設種別(及び／又はジャンル）が予めユーザにより要求された施設種別(及び／又はジャンル）に等しいこと、
条件２：施設の位置が移動体６の現在位置から所定の距離範囲に存在すること。
これらの条件を満たす施設数が第１候補数を超える場合には、例えば、移動体６の現在位置からの距離に基づいて施設数を第１候補数になるように選択してもよい。
【０１２３】
ステップＳ２１３において、サーバシステム１（第２選択部１０４２）は、ステップＳ２１２において、抽出された第１候補数の施設の表示順序を、施設による提供サービスのユーザ属性の適合度に基づいて決定する。より具体的には、サーバシステム１（第２選択部１０４２）は、施設による提供サービスのユーザ属性Ａの適合度の大きい順に施設の表示順序を決定する。なお、第２選択部１０４２は、施設による提供サービスの当該移動体６に対応するユーザ属性との適合度に加えて、他の条件を加味して（重み付けすることで）算出される優先度に基づいて表示順序を決定してもよい。
【０１２４】
ステップＳ２１４において、サーバシステム１（第２選択部１０４２）は、ステップＳ２１３に表示順序の決定された施設情報を記憶部１１のワークエリア（図示せず）に格納して、リターンする。
【０１２５】
なお、車載ナビゲーション装置２に換えて、車両５と信号接続された携帯端末３を用いる場合の施設情報配信システム１００の動作について簡単に説明する。
基本的に以下に説明する点を除けば、前述したステップにおいて、車載ナビゲーション装置２を携帯端末３に読み替えることで、携帯端末３を用いる場合の施設情報配信システム１００の動作を説明することができる。
【０１２６】
＜異なる点＞
ステップＳ１０１において、携帯端末３は、運転者により車両５のイグニッションスイッチがオン（エンジンを始動）にされることで、車両５とペアリングされ、携帯端末＿接続情報取得部３００を介して移動体種別情報等を取得することで、携帯端末３（携帯端末＿接続処理部３０１）は、サーバシステム１に移動体ＩＤ及びパスワードを用いてログイン要求（接続要求）を送信し、移動体種別情報、移動体６の現在位置及び現在時刻等を送信する。
ステップＳ１１０において、携帯端末３は、運転者により車両５のイグニッションスイッチがオフ（エンジンを停止）にされることによって車両５と携帯端末３とのペアリングが解除され、解除された時の現在位置が最終の車両位置、すなわち駐車位置としてサーバシステム３にアップロードすることができる。
これらの処理以外については、前述したステップにおいて、車載ナビゲーション装置２を携帯端末３に読み替えることで、携帯端末３の場合における、車両５がエンジンを始動し、エンジンを停止させるまでの間における施設評価システム１００の処理を説明することができる。
【０１２７】
以上、本発明の好ましい実施形態につき説明したが、本発明は、上述の実施形態に制限されるものではなく、適宜変更が可能である。
［変形例１］
本発明の実施形態では、サーバシステム１を１つのシステムとして記載するが、サーバシステム１の各機能を、適宜複数のコンピュータに分散する、分散処理システムとしてもよい。また、クラウド上での仮想サーバ機能等を利用して、サーバシステム１の各機能を実現してもよい。
［変形例２］
本発明の実施形態においては、サーバシステム１がルート情報を算出して、当該ルート情報を車載ナビゲーション装置３に送信したが、別の実施形態として、車載ナビゲーション装置２がサーバシステム１から目的地設定情報を受信して、当該目的地設定情報に基づいてルート情報を算出することができる。
［変形例３］
同様に、第１実施形態においては、サーバシステム１がルート情報を算出して、当該ルート情報を携帯端末３に送信したが、別の実施形態として、携帯端末３がサーバシステム１から目的地設定情報を受信して、当該目的地設定情報に基づいてルート情報を算出することができる。
［変形例４］
第1実施形態においては、施設選択部１０４は、移動体６の現在位置近辺に位置している施設又は現在位置から進行方向の現在位置近辺に位置している施設を選択するようにしたが、別の実施形態として、移動体６から目的地の情報を受信している場合には、施設選択部１０４は、現在位置から目的地に至る通過経路付近に存在する施設を複数抽出するようにしてもよい。例えば、施設選択部１０４は、現在位置から目的地に至るまでのルートの前半、中盤、後半等、又は、到着予想時間の時間帯毎に目的地に至るまでのルート上の近辺に所在する複数の候補施設情報を優先的に抽出することができる。
【０１２８】
以上説明した施設情報配信システム１００によれば、以下のような効果を奏する。
【０１２９】
（１）施設情報配信サーバは、移動体６の移動体種別情報と、施設により提供される施設提供サービスのユーザ層毎の適合度と、に基づいて、当該移動体６に適した施設を優先的に表示する。
これにより、ユーザによる特別な操作が無くとも、例えば、ミニバンのユーザに対しては、ファミリー向けの施設情報を提示するといった、各ユーザ層向けの施設情報を自動的に選択し、ユーザ層毎の適合度に基づいた施設情報が優先的に配信され、ユーザの満足度が向上する。
【０１３０】
（２）移動体６は車載ナビゲーション装置２が搭載された車両５又は車両５と信号接続された携帯端末３とすることができる。
これにより、車両５は、特別な装置、及びユーザによる特別な操作を必要とせず、移動体種別情報に基づくユーザ属性に応じた施設情報が優先的に配信され、ユーザの満足度が向上する。
【０１３１】
（３）移動体種別情報は、車種、カテゴリー種別、車種の下位分類であるグレード、外装色、のいずれかの情報を含む。
これにより、施設情報配信サーバシステム１は、車種の下位分類であるグレード、外装色に基づいて推薦する施設情報の表示順序を選択することで、さらに、ユーザ層を絞った施設情報を提供することが可能となる。
【０１３２】
本発明の施設情報配信システム１００は、ハードウェアにより実行させることもできるし、ソフトウェアにより実行させることもできる。
換言すると、図２、図４、図６及び図７の機能的構成は例示に過ぎず、特に限定されない。すなわち、本発明の施設情報配信機能に関する一連の処理を全体として実行できる機能が各機器に備えられていれば足り、この機能を実現するためにどのような機能ブロックを用いるのかは特に図２、図４、図６及び図７の例に限定されない。
また、１つの機能ブロックは、ハードウェア単体で構成してもよいし、ソフトウェア単体で構成してもよいし、それらの組合せで構成してもよい。
【０１３３】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータであってもよい。
【０１３４】
このようなプログラムを含む記録媒体は、ユーザにプログラムを提供するために装置本体とは別に配布されるリムーバブルメディア３１により構成されるだけでなく、装置本体に予め組み込まれた状態でユーザに提供される記録媒体等で構成される。リムーバブルメディア３１は、例えば、磁気ディスク（フロッピディスクを含む）、ブルーレイディスク、光ディスク、又は光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ）等により構成される。光磁気ディスクは、ＭＤ（Ｍｉｎｉ−Ｄｉｓｋ）、等により構成される。また、装置本体に予め組み込まれた状態でユーザに提供される記録媒体は、例えば、プログラムが記録されている図２の記憶部１１、図４の記憶部２１、図６の記憶部３１、図７の記憶部４１に含まれるハードディスク等で構成される。
【符号の説明】
【０１３５】
１００  施設情報配信システム
１  サーバシステム
１０  制御部
１０１  ログイン処理部
１０２  現在位置情報処理部
１０４  施設選択部
１０４１  第１選択部
１０４２  第２選択部
１０５  施設情報提供部
１０６  ルート設定部
１０７  ルート通知部
１１  記憶部
１１１  移動体情報エリア
１１２  地図情報エリア
１１３  施設情報エリア
１１３１  施設情報データベース
１１４  接続履歴情報エリア
１１５  移動体種別・ユーザ属性対応テーブル
１２  通信部
２  車載ナビゲーション装置
２０  制御部
２０１  接続処理部
２０２  位置情報更新部
２０３  情報配信設定部
２０４  施設表示部
２０５  ルート案内部
２１  記憶部
２２  無線部
２３  センサ部
２４  表示部
２５  入力部
３  携帯端末
３０  制御部
３００  携帯端末＿接続情報取得部
３０１  携帯端末＿接続処理部
３０２  携帯端末＿位置情報更新部
３０３  携帯端末＿情報配信設定部
３０４  携帯端末＿施設表示部
３０５  携帯端末＿ルート案内部
３１  記憶部
３２  無線部
３３  センサ部
３４  表示部
３５  入力部
４  施設用端末
４０  制御部
４０１  ログイン処理部
４０２  配信情報編集部
４０３  顧客情報処理部
４１  記憶部
４２  通信部
５    車両
６    移動体
【図１】
2018146451.tif 000003
【図２】
2018146451.tif 000004
【図３】
2018146451.tif 000005
【図４】
2018146451.tif 000006
【図５Ａ】
2018146451.tif 000007
【図５Ｂ】
2018146451.tif 000008
【図５Ｃ】
2018146451.tif 000009
【図６】
2018146451.tif 000010
【図７】
2018146451.tif 000011
【図８Ａ】
2018146451.tif 000012
【図８Ｂ】
2018146451.tif 000013
【図８Ｃ】
2018146451.tif 000014